(57)【要約】      （修正有）【課題】既存の髪留め具に何らの工夫をすることなく、強固に滑り止めを取り付け得るようにした髪留め具を提供する。【解決手段】対の長片状髪挟持材１１ａ、１１ｂをその一端で開放可能に連結し、その両髪挟持材の間に頭髪を挟んで留める髪留め具Ｐ１である。両髪挟持材の対向する面にその長さ方向の滑り止め１６を設け、その滑り止めは、髪挟持材の面に固着されたテープ状基材１６ｂの表面にシリコーンゴム製滑り止め材１６ａを固定したものである。この時、滑り止めを固定した反対面にテープ状基材１６ｂを固定している。このため、両基材は髪挟持材１１ｂを介して相互に接着するため、滑り止めの取付強度は高い。テープ状基材１６ｂは、接着剤や両面テープ等によって、髪挟持材の表面に容易にかつ強固に取り付け（固定）ができる。また、前もってその基材上に滑り止め材を固定しておくことができる。このため、取付性も良く安価のものとすることができる。【選択図】図２
0003193666.tif 000002
【実用新案登録請求の範囲】
【請求項１】
対の長片状髪挟持材（１１、１１ａ、１１ｂ、２１、２１ａ、２１ｂ、３１、３１ａ、３１ｂ）をその一端で開放可能に連結し、その両髪挟持材の間に頭髪（ａ）を挟んで留める髪留め具（Ｐ１、Ｐ２、Ｐ３）であって、前記両髪挟持材の対向する面にその長さ方向に長い滑り止め（１６）を設け、その滑り止め（１６）は、髪挟持材の面に固着されたテープ状基材（１６ｂ）の表面に滑り止め材（１６ａ）を固定したものであることを特徴とする髪留め具。
【請求項２】
上記滑り止め（１６）を固定する髪挟持材（１１、１１ａ、１１ｂ、２１、２１ａ、２１ｂ）が透孔（１４、２６）を有するものにあっては、前記滑り止め（１６）を固定した反対面にテープ状基材（１６ｂ）を固定して前記滑り止め（１６）のテープ状基材（１６ｂ）に接合するようにしたことを特徴とする請求項１に記載の髪留め具。
【考案の詳細な説明】
【技術分野】
【０００１】
この考案は、へアーピン、へアークリップ、バレッタ、バナナクリップ、バンスクリップ等の髪留め具に関するものである。
【背景技術】
【０００２】
この種の髪留め具は、対の長片状髪挟持材をその一端で開放可能に連結し、その両髪挟持材の間に頭髪を挟んで留（止）める態様が一般的であり、へアーピン、へアークリップ、バレッタ、バナナクリップ、バンスクリップ等と称されるものがある。
【０００３】
このような髪留め具において、両髪挟持材で髪を挟んだ時、髪の毛と髪挟持材との間で滑りが生じると、この髪留め具が髪の毛からずれたり滑ったりして、意図する位置に止めることができない。
このため、髪挟持材の頭髪との接触面にシリコーンゴム等のゴム弾性材からなる滑り止めを設けたものがある（特許文献１  実用新案登録の範囲、段落０００９、図１〜図７参照）。
【先行技術文献】
【特許文献】
【０００４】
【特許文献１】実用新案登録第３０３１２１２号公報
【考案の概要】
【考案が解決しようとする課題】
【０００５】
従来の滑り止めは、髪挟持材の溝に嵌め込んで取り付けている（特許文献１図７参照）。この嵌め込みによる取付けは、その取付作業が煩わしい上に、取付強度が低く、容易に滑り止めが外れる恐れがある。また、溝を有しないものには採用できない問題もある。
【０００６】
この考案は、以上の実状の下、既存の髪留め具に何らの工夫をすることなく、強固に滑り止めを取り付け得るようにすることを課題とする。
【課題を解決するための手段】
【０００７】
上記課題を達成するため、この考案は、滑り止めを、テープ状基材の表面にゴム弾性材等からなる滑り止め材を固定したものとしたのである。
テープ状基材は、接着剤や両面テープ等によって、髪挟持材の表面に容易にかつ強固に取り付ける（固定する）ことができる。また、前もって、その基材上に滑り止め材を固定しておくことができる。このため、取付性も良く、安価のものとすることができる。
【０００８】
この考案の構成としては、対の長片状髪挟持材をその一端で開放可能に連結し、その両髪挟持材の間に頭髪を挟んで留める髪留め具において、両髪挟持材の対向する面にその長さ方向に長い滑り止めを設け、その滑り止めは、髪挟持材の面に固着されたテープ状基材の表面に滑り止め材を固定したものである構成を採用することができる。
その滑り止め材には、滑り止め作用を発揮するものであれば何れでも良く、例えば、シリコーンゴム等のゴム弾性材を使用する。
この構成において、上記滑り止めを固定する髪挟持材が透孔を有するものにあっては、前記滑り止めを固定した反対面にテープ状基材を固定するようにすれば、透孔を介して両基材が接合し合うため、滑り止めの取付強度を増すことができる。
【考案の効果】
【０００９】
この考案は、以上のように構成したので、取付性も良く、安価な滑り止め付の髪留め具とすることができる。
【図面の簡単な説明】
【００１０】
【図１】この考案に係る髪留め具の一実施形態を使用した一態様を示し、（ａ）はその斜視図、（ｂ）は（ａ）のI−I線断面図
【図２】同実施形態の髪留め具を示し、（ａ）はその開放状態の斜視図、（ｂ）はその滑り止めの説明用斜視図
【図３】この考案に係る髪留め具の他の実施形態を使用した一態様を示し、（ａ）はその斜視図、（ｂ）は髪留め具を開いた状態の要部斜視図
【図４】同実施形態の髪留め具を示し、（ａ）はその正面図、（ｂ）はその切断側面図
【図５】この考案に係る髪留め具のさらに他の実施形態を使用した一態様の髪留め具を開いた状態の斜視図
【図６】同実施形態の髪留め具の閉じた状態を示し、（ａ）はその一部切断平面図、（ｂ）は同正面図、（ｃ）は（ｂ）のＩＩ−ＩＩ線断面図
【考案を実施するための形態】
【００１１】
この考案に係る髪留め具の各実施形態を図１〜図６に示し、図１〜図２に示す髪留め具Ｐ１はへアークリップ、図３〜図４に示す髪留め具Ｐ２はバレッタ、図５〜図６に示す髪留め具Ｐ３はバナナクリップである。
【００１２】
へアークリップＰ１は、対の長片状金属製髪挟持材１１ａ、１１ｂ（総称符号は１１とする。）をその一端で開放可能に金属製連結杆１２を介して連結し、その連結杆１２にトーションバネ１３を設け、そのトーションバネ１３によって両髪挟持材１１を閉止方向に付勢したものである。このため、このへアークリップＰ１は、常時、両髪挟持材１１を閉じている。なお、通常のへアークリップは、一方の髪挟持材１１ａはその長さ方向に亘って透孔１４が形成され、他方の髪挟持材１１ｂはその側縁が全長に亘って鋸刃状１５となっている。
【００１３】
以上の構成は従来と同様の周知であって、この考案の特徴は、その両髪挟持材１１の対向する面にその長さ方向全長に亘って滑り止め１６を設けた点である。
この滑り止め１６は、図２（ｂ）に示すように、織布からなるテープ１６ｂと、そのテープ１６ｂ上の長さ方向に設けたシリコーンゴム製のゴム弾性材（滑り止め材）１６ａとからなる。このゴム弾性材１６ａは接着性を有するため、テープ１６ｂ上にその長さ方向に亘ってチューブ等から押し出すことによってゴム弾性材１６ａの突条を容易に設けることができる。このとき、ゴム弾性材１６ａはテープ１６ｂの織り目内に浸透して強固に一体となる。このため、この突条のゴム弾性材１６ａはテープ１６ｂと強固に一体となって長期に亘って滑り止め作用を発揮する。
【００１４】
この滑り止め１６を髪挟持材１１に取り付けるには、透孔１４を有する一方の髪挟持材１１ａにあっては、髪挟持面側はゴム弾性材１６ａを有するテープ１６ｂを固定し、その反対側面にはそのゴム弾性材１６ａを有しないテープ１６ｂを固定する。その固定は、両面粘着テープ（以下、単に「両面テープ」と言う。）や接着剤等による。
このように、両テープ１６ｂ、１６ｂによって髪挟持材１１ａの両面を挟むことによって、透孔１４を介して両テープ１６ｂ、１６ｂが接着し（接合し）、透孔１４の存在に拘わらず、髪挟持材１１ａに滑り止め１６を強固に取り付けることができる。
他方の髪挟持材１１ｂにあってはその髪挟持面にゴム弾性材１６ａを有するテープ１６ｂを固定する。
【００１５】
なお、滑り止め１６の取り付けは、ロール状としたゴム弾性材１６ａ付テープ１６ｂと、同ゴム弾性材１６ａ無テープ１６ｂを予め用意し、そのロールからテープ１６ｂを引き出して髪挟持材１１に固定して所要長さを適宜に切断したり、図２（ｂ）の鎖線で示すように、同テープ１６ｂを所要長さに切断した後、髪挟持材１１に固定したり、予め所要の長さに切断された同各テープ１６ｂを髪挟持材１１に取り付けたり、ゴム弾性材１６ａ無テープ１６ｂを髪挟持材１１に取り付けた後、ゴム弾性材１６ａを設けたりすることができる。以下の実施形態も同様である。
【００１６】
このへアークリップＰ１は、例えば、図１（ｂ）に示すように、バタフライ状リボンＡ１に他方の髪挟持材１１ｂの背面を両面テープや接着剤によって固定して取り付ける。
このリボンＡ１付へアークリップＰ１は、従来と同様に、図２（ａ）に示すように、トーションバネ１３に抗して両髪挟持材１１を拡げて頭髪に取り付ける。この取付状態は、トーションバネ１３によって両髪挟持材１１が閉じる方向に付勢され滑り止め１６を介して髪が挟まれその摩擦によって髪を滑ることがないため、取付位置が安定する。
【００１７】
バレッタＰ２の実施形態は、同様に、長片状の対の金属製髪挟持材２１ａ、２１ｂ（総称符号は２１とする。）をその一端で開放可能に金属製連結杆２２を介して連結し、他方の髪挟持材２１ｂに弧状のバネ片２３を設けたものである。バネ片２３にはその長さ方向に亘って複数の孔２３ａが形成されている。
一方の髪挟持材２１ａの先端部に係止部２４が形成され、他方の髪挟持材２１ｂの先端部にはその係止部２４が係止する対の爪２５ａ及び対の解除片２５ｂが形成されている。このため、図３（ｂ）の両髪挟持材２１が開いた状態から、同図（ａ）に示すように、両髪挟持材２１を閉じると、係止部２４が爪２５ａに係止する（同図（ａ））。この係止状態から、両解除片２５ｂを摘むと、係止部２４と爪２５ａの係止が解除されて、バネ片２３でもって同図（ｂ）のように両髪挟持材２１は開放する。
【００１８】
以上の構成は従来と同様の周知であって、この考案の特徴は、上記へアークリップＰ１と同様に、その両髪挟持材２１の対向する面にその長さ方向全長に亘って滑り止め１６を設けた点である。
この実施形態のバレッタＰ２においても、一方の髪挟持材２１ａはその長さ方向に亘って透孔２６を有しているため、上記へアークリップＰ１の一方の髪挟持材１１ａと同様に、髪挟持面側はゴム弾性材１６ａの突条を有するテープ１６ｂを固定し、その反対側面にはそのゴム弾性材１６ａの突条を有しないテープ１６ｂを固定する。
【００１９】
このバレッタＰ２は、例えば、図３（ａ）、（ｂ）に示すように、バタフライ状リボンＡ２に他方の髪挟持材２１ｂの背面を両面テープや接着剤によって固定して取り付ける。
このリボンＡ２付バレッタＰ２は、従来と同様に、図３（ｂ）に示すように両髪挟持材２１を広げて、同（ａ）に示すように両髪挟持材１１を閉じて頭髪に取り付ける。この取付状態は、従来と同様に、バネ片２３と滑り止め１６（髪挟持材２１ａ）によって髪が挟まれその摩擦によって髪を滑ることがないため、取付位置が安定する。
【００２０】
バナナクリップＰ３の実施形態は、長片状の対の樹脂製髪挟持材３１ａ、３１ｂ（総称符号は３１とする。）をその一端で開放可能に樹脂製連結杆３２を介して連結し、両髪挟持材３１ａ、３１ｂの先端部にそれぞれ係止用フック３３を形成したものである。この両フック３３を噛み合わすことによって両髪挟持材３１ａ、３１ｂは閉じ状態を維持する（図６参照）。また、樹脂製髪挟持材３１ａ、３１ｂにはその対向面の側縁に沿って櫛状に複数の突起３４が設けられている。
【００２１】
以上の構成は従来と同様の周知であって、この考案の特徴は、上記へアークリップＰ１及びバレッタＰ２と同様に、その両髪挟持材３１の対向する面にその長さ方向全長に亘って滑り止め１６を設けた点である。
この実施形態のバナナクリップＰ３は、その両髪挟持材３１には透孔などが形成されていないため、その対向面にゴム弾性材１６ａの突条を有するテープ１６ｂをそれぞれ固定する。
【００２２】
このバナナクリップＰ３は、例えば、図５に示すように、二つ割れするバタフライ状リボンＡ３のそれぞれの片に各髪挟持材３１ａ、３１ｂの背面を両面テープや接着剤によって固定して取り付ける。
このバナナクリップＰ３は、従来と同様に、図５に示すように両髪挟持材３１を広げて、図６（ａ）〜（ｃ）に示すように両髪挟持材３１を閉じて頭髪ａに取り付ける。この取付状態は、同様に、両髪挟持材３１の弾性によって滑り止め１６を介して髪が挟まれその滑り止め１６の摩擦によって髪を滑ることがないため、取付位置が安定する。
【００２３】
この考案は、上記各実施形態のへアークリップ、バレッタ、バナナクリップに限らず、へアーピン、バンスクリップ等の他の種々の髪留め具に採用し得ることは勿論である。
なお、上記各実施形態も含めた上記各髪留め具において、ゴム弾性材１６ａの幅は、装飾効果や滑り止め効果等を考慮して適宜に設定する。また、テープ１６ｂの幅も髪挟持材１１、２１、３１の取付面の幅に応じて、その幅のテープを用意したり、縁を切断する等によってその幅に対応させたりする。ゴム弾性材１６ａは連続した突条でなくても、間欠的な突条であって良い。また、滑り止め１６は両髪挟持材１１、２１、３１の一方のみに設けるだけでも良い。
【符号の説明】
【００２４】
Ａ１、Ａ２、Ａ３  リボン
Ｐ１  へアークリップ（髪留め具）
Ｐ２  バレッタ（髪留め具）
Ｐ３  バナナクリップ（髪留め具）
ａ  頭髪
１１、１１ａ、１１ｂ  へアークリップ用髪挟持材
１４、２６  透孔
１６  滑り止め
１６ａ  滑り止め用ゴム弾性材（滑り止め材）
１６ｂ  滑り止めのテープ状基材（テープ）
２１、２１ａ、２１ｂ  バレッタ用髪挟持材
３１、３１ａ、３１ｂ  バナナクリップ用髪挟持材
【図１】
0003193666.tif 000003
【図２】
0003193666.tif 000004
【図３】
0003193666.tif 000005
【図４】
0003193666.tif 000006
【図５】
0003193666.tif 000007
【図６】
0003193666.tif 000008
【手続補正書】
【提出日】平成26年8月7日(2014.8.7)
【手続補正１】
【補正対象書類名】実用新案登録請求の範囲
【補正対象項目名】請求項２
【補正方法】変更
【補正の内容】
【請求項２】
上記滑り止め（１６）を固定する髪挟持材（１１、１１ａ、１１ｂ、２１、２１ａ、２１ｂ）が透孔（１４、２６）を有するものにあっては、その髪挟持材の前記滑り止め（１６）を固定した面の反対面に、前記滑り止め（１６）のテープ状基材（１６ｂ）とは別のテープ状基材（１６ｂ）を固定してその固定したテープ状基材（１６ｂ）を前記透孔を介して前記滑り止め（１６）のテープ状基材（１６ｂ）に接合するようにしたことを特徴とする請求項１に記載の髪留め具。
【手続補正２】
【補正対象書類名】明細書
【補正対象項目名】０００８
【補正方法】変更
【補正の内容】
【０００８】
この考案の構成としては、対の長片状髪挟持材をその一端で開放可能に連結し、その両髪挟持材の間に頭髪を挟んで留める髪留め具において、両髪挟持材の対向する面にその長さ方向に長い滑り止めを設け、その滑り止めは、髪挟持材の面に固着されたテープ状基材の表面に滑り止め材を固定したものである構成を採用することができる。
その滑り止め材には、滑り止め作用を発揮するものであれば何れでも良く、例えば、シリコーンゴム等のゴム弾性材を使用する。
この構成において、上記滑り止めを固定する髪挟持材が透孔を有するものにあっては、その髪挟持材の前記滑り止めを固定した面の反対面に、前記滑り止めのテープ状基材とは別のテープ状基材を固定するようにすれば、透孔を介して両基材が接合し合うため、滑り止めの取付強度を増すことができる。